(57)【要約】【課題】  障害による電源切断では無く意図的な電源切断の場合には、EtherOAM監視網が障害と認識しない通信機を提供する。【解決手段】  ネットワークに接続し、第１の入出力端から電源オフ信号を受信すると予め前記第１の入出力端から検出して所定の時間保存している導通確認信号を第２の入出力端に送信し、前記第１の入出力端から電源復旧信号を受信すると前記導通確認信号の送信を停止する。【選択図】      図１５
2016178486.tif 000002
【特許請求の範囲】
【請求項１】
ネットワークに接続し、
第１の入出力端から電源オフ信号を受信すると予め前記第１の入出力端から検出して所定の時間保存している導通確認信号を第２の入出力端に送信し、前記第１の入出力端から電源復旧信号を受信すると前記導通確認信号の送信を停止する通信機。
【請求項２】
ネットワークに接続し、
電源スイッチが操作により切断されると第１の入出力端と第２の入出力端に電源オフ信号を発信し、前記電源スイッチが導通すると前記第１の入出力端と前記第２の入出力端に電源復旧信号を発信する通信機。
【請求項３】
いずれも第１および第２の入出力ポートに接続された第１および第２の通信装置を備え、前記第１の通信装置は、前記第１および第２の入出力端が各々前記第１および第２の入出力ポートに接続された請求項１に記載の通信機を備え、前記第２の通信装置は、前記第１および第２の入出力端が各々前記第１および第２の入出力ポートに接続された請求項２に記載の通信機を備えていることを特徴とする通信機。
【請求項４】
前記第１の入出力端から前記電源オフ信号および前記電源復旧信号を受信しても、前記通信機の動作が変わらない設定を選択できることを特徴とする請求項１または請求項３のいずれかに記載の通信機。
【請求項５】
前記所定の時間を任意に設定可能である請求項１、請求項３および請求項４のいずれかに記載の通信機。
【請求項６】
前記通信機の電源スイッチが操作により切断されても、前記通信機は動作が変わらない設定を選択できることを特徴とする請求項２または請求項３のいずれかに記載の通信機。
【請求項７】
前記ネットワークはIEEE802.1agに規定されるEtherOAMに従うことを特徴とする請求項１乃至請求項６のいずれかに記載の通信機。
【請求項８】
ネットワークに接続する通信機の第１の入出力端から電源オフ信号を受信すると予め前記第１の入出力端から検出して所定の時間保存している導通確認信号を第２の入出力端に送信し、前記第１の入出力端から電源復旧信号を受信すると前記導通確認信号の送信を停止する通信方法。
【請求項９】
前記ネットワークの両端の保守終端それぞれに前記第２の入出力端を接続する請求項１および請求項３乃至請求項５に記載の通信機と、
前記保守終端に接続された前記通信機と接続する、請求項２、請求項３または請求項６のいずれかに記載の１台の通信機、または異なる入出力端同士で直列接続した請求項２、請求項３および請求項６に記載の複数の通信機とを備える通信システム。
【請求項１０】
ネットワークに接続する通信機の第１の入出力端から電源オフ信号を受信すると予め前記第１の入出力端から検出して所定の時間保存している導通確認信号を第２の入出力端に送信し、前記第１の入出力端から電源復旧信号を受信すると前記導通確認信号の送信を停止するプログラム。
【発明の詳細な説明】
【技術分野】
【０００１】
本発明は、通信機、通信システム、通信方法およびプログラムに関するものである。
【背景技術】
【０００２】
通信ネットワークを構成するスイッチやケーブルなどが適切に動作しているかを調べるための機能として、EtherOAM（Ethernet（登録商標） Operations,Administration and Maintenance）が、非特許文献１、および非特許文献２に規定されている。
【０００３】
このEtherOAMには、あるスイッチから別のスイッチまでのリンクが維持されているか検査フレームを定期的に流して常時監視したり、端にあるスイッチから反対の端にあるスイッチにメッセージを送り、正常に送り返されるかを調べる機能がある。更にEtherOAMには、経路上のすべてのスイッチに応答させて異常な機器が無いか調べたりする機能がある。
【０００４】
そして、このEtherOAMにおける検査のためのフレーム、およびメッセージはCCM（Continuity Check Message）と呼ばれ、通信機が通信の対向相手と定期的にCCMを交信することで、通信機は対向機の異常有無や存在有無を確認している。
【０００５】
図２にEtherOAMを用いたネットワーク構成の例を示す。
【０００６】
ＭＥＰ１（２０１）およびＭＥＰ２（２０２）は、EtherOAM監視システムにおける、Maintenance Entity Group（MEG）  End  Pointであり、障害監理およびパフォーマンス監視のためのEtherOAMフレームの生成と終端を行う機器である。
【０００７】
図２はネットワークに障害のない通常運用状態を示し、ＭＥＰ１（２０１）とＭＥＰ２（２０２）はEtherOAM監視システム２００に対して異常通知を発信していない。
【０００８】
次に、図６を参照して一般的に使われている通信機を使用した、EtherOAM監視システムにおいて、通信機の電源が切断された場合を説明する。
【０００９】
まず、使用者が通信機２（２１２）の保守作業の実施などで、通信機２（２１２）の電源を切断する（Ｓ４０１）。一般的に使われているEtherOAM監視システムでは、通信機２（２１２）の電源が切断されると、ネットワーク上のCCMの通信が途絶えるので、ＭＥＰ１（２０１）とＭＥＰ２（２０２）は通信機の電源切断をネットワーク障害として検知する。そして、ＭＥＰ１（２０１）とＭＥＰ２（２０２）はEtherOAM監視システムに障害通知であるLOC（Loss of Continuity）信号を発信する（Ｓ４０２およびＳ４０３）。
【００１０】
EtherOAM監視システムの管理者は、通信機２（２１２）が保守作業のために電源を切断したものであることを伝えられていないと、通信機２（２１２）に障害があったと認識して、障害現場を確認しなくてはならない。通信機２（２１２）が離れた場所にある場合は、確認作業の負担は大きい。
【先行技術文献】
【非特許文献】
【００１１】
【非特許文献１】IEEE Std 802.1ag(IEEE;The Institute of Electrical and Electronics Engineers, Inc.)
【非特許文献２】Recommendation ITU-T G.8013/Y.1731（ITU;The International Telecommunication Union）
【発明の概要】
【発明が解決しようとする課題】
【００１２】
そのため、一般的に保守作業などで通信機の電源断が発生する場合は、事前にEtherOAM監視システム管理者と現場の保守作業者の間で連絡をとるなどしている。そして、事前連絡があった場合に電源切断障害が検出されても、EtherOAM監視システム管理者は本来の障害と区別して認識しているが、人的な連絡を必要とするため煩わしさがあった。
【００１３】
本発明の通信機は、障害による電源切断では無く意図的な電源切断の場合には、EtherOAM監視網に障害と認識させず、障害による電源切断のみEtherOAM監視網に障害と認識させることを目的とする。
【課題を解決するための手段】
【００１４】
上記の目的を達成するために、本発明の通信機は、ネットワークに接続し、第１の入出力端から電源オフ信号を受信すると予め前記第１の入出力端から検出して所定の時間保存している導通確認信号を第２の入出力端に送信し、前記第１の入出力端から電源復旧信号を受信すると前記導通確認信号の送信を停止する。
【発明の効果】
【００１５】
本発明によれば、通信機は、障害による電源切断では無く意図的な電源切断の場合には、EtherOAM監視網に障害と認識させず、障害による電源切断のみEtherOAM監視網に障害と認識させることが可能となる。
【図面の簡単な説明】
【００１６】
【図１】第１の実施形態の構成例を示す図である。
【図２】第１の実施形態の動作を説明する図である。
【図３】第１の実施形態の動作を説明する図である。
【図４】第１の実施形態の動作を説明する図である。
【図５】第１の実施形態の動作を説明する図である。
【図６】関連技術の動作を説明する図である。
【図７】第１の実施形態の動作を説明する図である。
【図８】第１の実施形態の動作を説明する図である。
【図９】変形例の動作を説明する図である。
【図１０】第２の実施形態の構成例を示す図である。
【図１１】第２の実施形態の構成例を示す図である。
【図１２】第２の実施形態の動作を説明する図である。
【図１３】第１の実施形態の動作を補足説明する図である。
【図１４】第２の実施形態の動作を補足説明する図である。
【図１５】第３の実施形態の構成例を示す図である。
【発明を実施するための形態】
【００１７】
［第１の実施形態］
次に、本発明の実施の形態について図面を参照して詳細に説明する。
［構成の説明］
図１に第１の実施形態の構成を示す。
【００１８】
本実施形態の通信機１００は、ＣＣＭ制御部１０１と電源検出部１０２、切換部１（１０９）、切換部２（１１０）、および切換部３（１１１）から構成され、ポート１とポート２で通信ネットワークに接続されている。この通信ネットワークは、EtherOAMに従ってネットワーク障害が監視されている。
【００１９】
また、ＣＣＭ制御部１０１は、対向局オフ検出部１０３、ＣＣＭ解析保存部１０４、ＣＣＭ送信部１０５およびＣＣＭ送信制御部１０６から構成される。ＣＣＭ送信制御部１０６を除くこれらの機能部は回路で実現されても良いし、ソフトウェアで実現されても良い。
【００２０】
そして、対向局オフ検出部１０３は、ポート１から後述の電源オフ通知または電源復旧通知の信号を検知して、ＣＣＭ送信制御部１０６に通知する機能部であり、ＣＣＭ解析保存部１０４は、ポート１から受信したCCMを検出、解析し保存する機能部である。また、ＣＣＭ送信部１０５は、ＣＣＭ解析保存部に保存したCCMを予め設定された方法に従って信号を生成して、ポート２へ送信する機能部である。更に、ＣＣＭ送信制御部１０６はＣＣＭ制御部１０１の各機能部を制御するＣＰＵ（Central Processing Unit；中央処理装置）である。
【００２１】
次に、電源検出部１０２は、電源スイッチ検出部１０７と電源状態送信部１０８から構成される。これらの機能部は回路で実現されても良いし、ソフトウェアで実現されても良い。
【００２２】
そして、電源スイッチ検出部１０７は、通信機１００の電源スイッチが操作されたことを検出する機能部であり、電源状態送信部１０８、電源オフ通知の信号、および電源復旧通知の信号をポート１とポート２へ送信する機能部である。
【００２３】
ここで、電源オフ通知の信号、および電源復旧通知の信号は、例えばネットワークが光回線の場合であれば、社団法人・情報通信技術委員会（TTC）が制定するTS-1000仕様書に示される保守信号に準ずることが出来る。しかし、この電源オフ通知の信号、および電源復旧通知の信号は、ネットワークの他の通信を阻害しなければ任意の信号であっても良い。
【００２４】
また、切換部１（１０９）は、ＣＣＭ送信部１０５の指示に従ってポート１と切換部３（１１１）と接続するか、ＣＣＭ送信部１０５と切換部３（１１１）を接続するかを切り換えるスイッチである。
【００２５】
そして、切換部２（１１０）は、電源状態送信部１０８の指示に従ってポート２とポート１を接続するか、電源状態送信部１０８とポート１を接続するかを切り換えるスイッチである。
【００２６】
更に、切換部３（１１１）は、電源状態送信部１０８の指示に従って切換部１（１０９）とポート２を接続するか、電源状態送信部１０８とポート２を接続するかを切り換えるスイッチである。
［動作の説明］
次に、本実施形態の動作について図を参照して詳細に説明する。
【００２７】
最初に、ＣＣＭ制御部１０１の動作について図１を参照して説明する。
【００２８】
ネットワークに障害のない通常時、ＣＣＭ解析保存部１０４は、ポート１から受信する信号の中からCCMを検出すると、このCCMをＣＣＭ解析保存部１０４に保存する。このCCMの保存時間は、ＣＣＭ解析保存部１０４に予め設定されていて、保存されているCCMは設定された一定時間経過後に消去される。
【００２９】
ここで、CCMの詳細について説明する。図７にIEEE802.1agのCCMフレームフォーマットを示す。
【００３０】
通信機１００が送信するCCMは、図７におけるSA（Source Media Access Control address；送信元MACアドレス）、RDI（Remote Defect Indicator；対局劣化表示）以外の値は、受信したCCMの値をコピーして使用する。SAは通信装置１００に予め与えられたMACアドレスを使用し、RDIはCCM制御部に予め設定された値を使用する。
【００３１】
尚、ＣＣＭ解析保存部１０４が、ポート１から受信したフレームがCCMであることは、図７のTYPEの値とOpCodeの値で判断する。即ち、図７のTYPE＝0x8902はEtherOAMのフレームであることを示し、TYPE=0x8902とOpCode=1でEtherOAMのCCMであることを示す。
【００３２】
次に、図８にCCMの送信間隔一覧を示す。ＣＣＭ送信部１０５が送出するCCMの送信間隔は、受信したCCMのCCM Intervalに示される値に従う。
【００３３】
以上がCCMの詳細に関する説明である。
【００３４】
ＣＣＭ制御部１０１の対向局オフ検出部１０３は、ポート１から他の通信機の電源オフ通知を検出した場合、ポート１の対向局が電源オフであることをＣＣＭ送信制御部１０６に通知する。そして、ＣＣＭ送信制御部１０６はポート１の対向局の電源オフが通知されると、ＣＣＭ送信制御部１０６はＣＣＭ送信部１０５に対してCCMの送信を指示する。
【００３５】
次いで、ＣＣＭ送信部１０５は切換部１（１０９）を制御し、ポート２への信号経路をポート１側からＣＣＭ送信部１０５側に切り換える。その後、ＣＣＭ送信部１０５はＣＣＭ解析保存部１０４に保存されているCCMの情報に含まれるCCM Intervalの値に示される時間間隔でＣＣＭ解析保存部１０４に保存するCCMの送信を開始する。
【００３６】
尚、前述したように、保存されているCCMは、予めＣＣＭ解析保存部１０４に設定された時間経過後に消去されるが、ＣＣＭ送信部１０５がCCMを送信している間は、ＣＣＭ解析保存部１０４に保存してあるCCMは消去されない。
【００３７】
次に、ＣＣＭ送信部１０５がCCMを送信中に対向局オフ検出部１０３にてポート１の対向局の電源復旧通知を検出した場合は、ＣＣＭ送信部１０５はポート１対向局が電源復旧したことをＣＣＭ送信制御部１０６に通知する。そして、ＣＣＭ送信制御部１０６は、ポート１の対向局の電源復旧が通知されると、ＣＣＭ送信部１０５に対してＣＣＭ送信停止を指示する。次いで、ＣＣＭ送信部１０５はＣＣＭ送信を停止する。更に、ＣＣＭ送信部１０５は切換部１（１０９）を制御し、ポート２への信号経路をＣＣＭ送信部１０５の側からポート１側に切り換える。
【００３８】
以上が、ＣＣＭ制御部１０１の動作の説明である。
【００３９】
次に電源検出部１０２の動作について説明する。
【００４０】
電源スイッチ検出部１０７は、通信機１００の電源をオン／オフするスイッチの状態を監視している。電源状態送信部１０８は、電源スイッチ検出部１０７から電源スイッチのオフを通知されると切換部２（１１０）を制御し、ポート１への信号経路をポート２側から電源状態送信部１０８に切り換える。更に、電源状態送信部１０８は切換部３（１１１）を制御し、ポート２への出力信号経路をポート１側から電源状態送信部１０８に切り換える。その後、電源状態送信部１０８は、ポート１に対して電源オフ通知を送信する。電源検出部１０２が電源オフ通知を送信する動作は、通信機１００が電源低下により、動作不能となる以前に完了する。
【００４１】
また、通信機１００の電源がオフからオンとなった場合、電源状態送信部１０８はポート１、及び、ポート２へ電源復旧通知を送信する。その後、電源状態送信部１０８は切換部２（１１０）を制御し、ポート１への信号経路を電源状態送信部１０８からポート２側に切り換える。そして、電源状態送信部１０８は切換部３（１１１）を制御し、ポート２への信号経路を電源状態送信部１０８からポート１側に切り換える。以上のようにして、ポート１とポート２の間の通信経路が回復する。
【００４２】
以上が通信機１００の各部の動作の説明であるが、次にEtherOAM監視システムにおける通信機１００の動作について、図を参照して説明する。
【００４３】
まず、本実施形態に示す通信機１００を用いて、図２のようにEtherOAMを用いたネットワークを構成した場合を説明する。
【００４４】
図２において通信機１（２１１）のポート２はＭＥＰ１（２０１）に対向し、通信機３（２１３）のポート２はＭＥＰ２（２０２）に対向する様に接続されている。
【００４５】
尚、図１３に示す様に、通信機２Ａのポート２に通信機２Ｂのポート１を接続し、通信機２Ｂのポート２に通信機２Ｃのポート１を接続して、通信機１（２１１）と通信機３（２１３）の間の通信機の接続数を増やすことが可能である。
【００４６】
図２に示すネットワークにおいて、いずれの通信機にも通信経路にも障害が無い正常状態では、前述した一般的な通信機を接続した場合と同様に、ＭＥＰ１（２０１）とＭＥＰ２（２０２）はEtherOAM監視システム２００に対して異常通知を発信していない。
【００４７】
次に、図２と同じネットワーク構成において、保守作業などで通信機２（２１２）の電源が意図的に切断された場合の動作について、図３を参照して説明する。
【００４８】
まず、使用者が通信機２（２１２）の保守作業の実施などで、通信機２（２１２）の電源を切断する（Ｓ１０１）。通信機２（２１２）の電源検出部１０２は、通信機１００の電源がオフになると、前述のようにポート２へ電源オフ通知を発信し（Ｓ１０２）、更に電源検出部１０２はポート１へ電源オフ通知を発信する（Ｓ１０３）。
【００４９】
ステップＳ１０２で通信機２（２１２）がポート２へ電源オフ通知を発信すると（Ｓ１０２）、通信機３（２１３）はポート１から電源オフ通知を受信する。そして、前述のように通信機３（２１３）のＣＣＭ制御部１０１は、ポート１とポート２の接続を切り離して、ポート２に対してＣＣＭ解析保存部１０４に保存されているCCMの送信を開始する（Ｓ１０４）。ステップＳ１０４に続いてＭＥＰ２（２０２）が通信機３からCCMを受信すると、ＭＥＰ２（２０２）はEtherOAM監視システム２００に対して異常通知は発信しない（Ｓ１０５）。
【００５０】
一方、ステップＳ１０３で通信機２（２１２）がポート１へ電源オフ通知を発信すると（Ｓ１０３）、通信機１（２１１）はポート１で電源オフ通知を受信する。そして、前述のように通信機１（２１１）のＣＣＭ制御部１０１は、切換部１０９を制御してポート１とポート２の接続を切り離して、ＣＣＭ送信部１０５からポート２に対してＣＣＭ解析保存部１０４に保存されているCCMの送信を開始する（Ｓ１０６）。ステップＳ１０６に続いてＭＥＰ１（２０１）が通信機１（２１１）からCCMを受信すると、ＭＥＰ１（２０１）はEtherOAM監視システム２００に対して異常通知は発信しない（Ｓ１０７）。
【００５１】
次に、通信機２（２１２）の電源が意図的に切断された後に通信機２（２１２）の電源を投入した場合の動作について、図４を参照して説明する。
【００５２】
まず、使用者が通信機２（２１２）の電源をオンにする（Ｓ２０１）。通信機２（２１２）の電源検出部１０２は、通信機１００の電源がオンになると、前述のようにポート２へ電源復旧通知を発信し（Ｓ２０２）、更に電源検出部１０２はポート１へ電源復旧通知を発信する（Ｓ２０３）。
【００５３】
ステップＳ２０２で通信機２（２１２）がポート２から電源復旧通知を発信すると（Ｓ２０２）、通信機３（２１３）はポート１から電源復旧通知を受信する。そして、通信機３（２１３）が電源復旧通知を受信すると、通信機３（２１３）のＣＣＭ制御部１０１は、切換部１（１０９）を制御してＣＣＭ送信部１０５と切換部３（１１１）の接続を切り離して、ポート１と切換部３（１１１）とを接続する。更に通信機３（２１３）のＣＣＭ制御部１０１はCCMの送信を停止する（Ｓ２０４）。
【００５４】
一方、ステップＳ２０３で通信機２（２１２）がポート１から電源復旧通知を発信すると（Ｓ２０３）、通信機１（２１１）はポート１から電源復旧通知を受信する。そして、通信機１（２１１）が電源復旧通知を受信すると、通信機１（２１１）のＣＣＭ制御部１０１は、切換部１０９を制御してＣＣＭ送信部１０５と切換部３（１１１）の接続を切り離して、ポート１と切換部３（１１１）とを接続する。更に通信機１（２１３）のＣＣＭ制御部１０１はCCMの送信を停止する（Ｓ２０５）。
【００５５】
ステップＳ２０４とステップＳ２０６において、ＭＥＰ１（２０１）とＭＥＰ２（２０２）の通信経路は正常に復旧した。従って、ＭＥＰ１（２０１）から送信されるCCMはＭＥＰ２（２０２）で受信され、ＭＥＰ２（２０２）から送信されるCCMはＭＥＰ１（２０１）で受信される。そして、ＭＥＰ１（２０１）もＭＥＰ（２０２）もEtherOAM監視システム２００に対して異常通知は発信しない（Ｓ２０６、Ｓ２０７）。
【００５６】
以上のようにして、通信機２（２１２）の電源が意図的に切断された後に通信機２（２１２）の電源を投入した場合に通信経路が復旧する。
【００５７】
次に、図２および図３と同じネットワーク構成で、通信機２（２１２）が意図的ではなく何らかの障害発生により電源が切断された場合について、図５を参照して説明する。
【００５８】
まず、通信機２（２１２）が意図的ではなく何らかの障害発生により電源が切断される（Ｓ３０１）。次に、ＭＥＰ１（２０１）はCCMが途絶えたことを検知して、EtherOAM監視システムに対して前述のLOC信号を送信して障害を通知する（Ｓ３０２）。同様に、ＭＥＰ２（２０２）もCCMが途絶えたことを検知して、EtherOAM監視システムに対してLOC信号を送信して障害を通知する（Ｓ３０３）。このようにして、通信機２（２１２）が意図的ではなく何らかの障害発生により電源が切断された場合には、EtherOAM監視システムは障害を検知する。
【００５９】
以上のようにして、本実施形態の通信機１００は、障害による電源切断では無く意図的な電源切断の場合には、EtherOAM監視網に障害と認識させず、障害による電源切断のみEtherOAM監視網に障害と認識させることが可能となる。
［第２の実施形態］
次に第２の実施形態について、図を参照して説明する。
［構成の説明］
図１０、および図１１に第２の実施形態の構成例を示す。
【００６０】
図１０に示すＡ型通信機３０１は、ＣＣＭ制御部１０１と切換部１（１０９）で構成され、ポート１とポート２で通信ネットワークに接続されている。ＣＣＭ制御部１０１および切換部１０９の構成は、第１の実施形態のＣＣＭ制御部１０１および切換部１０９の構成と同じである。
【００６１】
図１１に示すＢ型通信機３０２は、電源検出部１０２、切換部２（１１０）、および切換部３（１１１）から構成されている。電源検出部１０２、切換部２（１１０）、および切換部３（１１１）の構成は、第１の実施形態の電源検出部１０２、切換部２（１１０）、および切換部３（１１１）の構成と同じである。
［動作の説明］
次に第２の実施形態の動作について、図１２を参照して説明する。
【００６２】
Ａ型通信機３０１とＢ型通信機３０２を用いて、図１２のようにEtherOAMを用いたネットワークを構成した場合を説明する。
【００６３】
図１２においてＡ型通信機１（３１１）のポート２はＭＥＰ１（２０１）に対向し、Ａ型通信機３（３１３）のポート２はＭＥＰ２（２０２）に対向する様に接続されている。
【００６４】
尚、図１４に示す様に、Ｂ型通信機２Ａのポート２にＢ型通信機２Ｂのポート１を接続し、Ｂ型通信機２ＢのポートにＢ型通信機２Ｃのポート２を接続して、Ａ型通信機１（３１１）とＡ型通信機３（３１３）の間の通信機の接続数を増やすことが可能である。
【００６５】
図１２のように構成したネットワークにおけるＡ型通信機１（３１１）、Ｂ型通信機２（３１２）、Ａ型通信機３（３１３）は、それぞれ第１の実施形態の説明で図２に示した通信機１（２１１）、通信機２（２１２）、通信機３（２１３）と同じ動作をする。従って、動作の詳細な説明は省略する。
【００６６】
このように、第２の実施形態に示したＡ型通信機３０１とＢ型通信機３０２は、いずれも第１の実施形態に示した通信機１００と比べて通信機の構成が簡単であるため、機器の低価格化、小型化を図ることが可能である。
［第３の実施形態］
次に、第３の実施形態について図１５を参照して説明する。
【００６７】
本実施形態の通信機４００は、ネットワークに接続し、第１の入出力端４０１から電源オフ信号を受信すると予め前記第１の入出力端４０１から検出して所定の時間保存している導通確認信号を第２の入出力端４０２に送信する。そして、通信機４００は、前記第１の入出力端４０１から電源復旧信号を受信すると前記導通確認信号の送信を停止する。
【００６８】
以上のようにして、本実施形態の通信機４００は、障害による電源切断では無く意図的な電源切断の場合には、EtherOAM監視網に障害と認識させず、障害による電源切断のみEtherOAM監視網に障害と認識させることが可能となる。
【００６９】
以上、本発明の好適な実施形態を説明したが、上記実施形態に限定されるものではなく、次のように拡張または変形できる。
【００７０】
第２の実施形態に示したＡ型通信機３０１およびＢ型通信機３０２は、いずれも第１の実施形態に示した通信機１００に全部、または任意の一部を交換可能である。
【００７１】
また、第１の実施形態に示す通信機１００および第２の実施形態に示すＡ型通信機３０１がCCMを送信する方法を、使用者が設定出来るようにしても良い。その設定は、例えば図９に示す様に通信機１００またはＡ型通信機３０１がCCMをＭＥＰに代わって送信するか否かの設定、或いはＣＣＭ解析保存部におけるCCMの保存時間の設定、更にRDIの値の設定等である。これらの設定は、通信機１００またはＡ型通信機３０１が入力手段を備えていれば使用者が直接入力しても良いし、通信機１００またはＡ型通信機３０１に接続可能なコンピュータのソフトウェアを用いて使用者が入力しても良い。
【００７２】
上記の実施形態の一部又は全部は、以下の付記のようにも記載されうるが、以下には限られない。
【００７３】
（付記１）
ネットワークに接続し、
第１の入出力端から電源オフ信号を受信すると予め前記第１の入出力端から検出して所定の時間保存している導通確認信号を第２の入出力端に送信し、前記第１の入出力端から電源復旧信号を受信すると前記導通確認信号の送信を停止する通信機。
【００７４】
（付記２）
ネットワークに接続し、
電源スイッチが操作により切断されると第１の入出力端と第２の入出力端に電源オフ信号を発信し、前記電源スイッチが導通すると前記第１の入出力端と前記第２の入出力端に電源復旧信号を発信する通信機。
【００７５】
（付記３）
いずれも第１および第２の入出力ポートに接続された第１および第２の通信装置を備え、前記第１の通信装置は、前記第１および第２の入出力端が各々前記第１および第２の入出力ポートに接続された付記１に記載の通信機を備え、前記第２の通信装置は、前記第１および第２の入出力端が各々前記第１および第２の入出力ポートに接続された付記２に記載の通信機を備えていることを特徴とする通信機。
【００７６】
（付記４）
前記第１の入出力端から前記電源オフ信号および前記電源復旧信号を受信しても、前記通信機の動作が変わらない設定を選択できることを特徴とする付記１または付記３のいずれかに記載の通信機。
【００７７】
（付記５）
前記所定の時間を任意に設定可能である付記１、付記３および付記４のいずれかに記載の通信機。
【００７８】
（付記６）
前記通信機の電源スイッチが操作により切断されても、前記通信機は動作が変わらない設定を選択できることを特徴とする付記２または付記３のいずれかに記載の通信機。
【００７９】
（付記７）
前記入出力端１から前記電源オフ信号および前記電源復旧信号を受信したり、前記通信機の電源スイッチが操作により切断されても、前記通信機の動作が変わらない設定を選択できることを特徴とする付記３に記載の通信機。
【００８０】
（付記８）
前記ネットワークはIEEE802.1agに規定されるEtherOAMに従うことを特徴とする付記１乃至付記７のいずれかに記載の通信機。
【００８１】
（付記９）
ネットワークに接続する通信機の第１の入出力端から電源オフ信号を受信すると予め前記第１の入出力端から検出して所定の時間保存している導通確認信号を第２の入出力端に送信し、前記第１の入出力端から電源復旧信号を受信すると前記導通確認信号の送信を停止する通信方法。
【００８２】
（付記１０）
ネットワークに接続する通信機の電源スイッチが操作により切断されると第１の入出力端と第２の入出力端に電源オフ信号を発信し、前記電源スイッチが導通すると前記第１の入出力端と前記第２の入出力端に電源復旧信号を発信する通信方法。
【００８３】
（付記１１）
ネットワークに接続する通信機の第１の入出力端から電源オフ信号を受信すると予め前記第１の入出力端から検出して所定の時間保存している導通確認信号を第２の入出力端に送信し、前記第１の入出力端から電源復旧信号を受信すると前記導通確認信号の送信を停止し、前記通信機の電源スイッチが操作により切断されると前記第１の入出力端と前記第２の入出力端に電源オフ信号を発信し、前記電源スイッチが導通すると前記第１の入出力端と前記第２の入出力端に電源復旧信号を発信する通信方法。
【００８４】
（付記１２）
前記第１の入出力端から前記電源オフ信号および前記電源復旧信号を受信しても、前記通信機の動作が変わらない設定を選択できることを特徴とする付記９または付記１１のいずれかに記載の通信方法。
【００８５】
（付記１３）
前記所定の時間を任意に設定可能である付記９、付記１１または付記１２のいずれかに記載の通信方法。
【００８６】
（付記１４）
前記通信機の電源スイッチが操作により切断されても、前記通信機は動作が変わらない設定を選択できることを特徴とする付記１０または付記１１のいずれかに記載の通信方法。
【００８７】
（付記１５）
前記入出力端１から前記電源オフ信号および前記電源復旧信号を受信したり、前記通信機の電源スイッチが操作により切断されても、前記通信機の動作が変わらない設定を選択できることを特徴とする付記１１に記載の通信方法。
【００８８】
（付記１６）
前記ネットワークはIEEE802.1agに規定されるEtherOAMに従うことを特徴とする付記９乃至付記１５のいずれかに記載の通信方法。
【００８９】
（付記１７）
前記ネットワークの両端の保守終端それぞれに前記第２の入出力端を接続する付記１、付記３乃至付記５、および付記７に記載の通信機と、
前記保守終端に接続された前記通信機と接続する、付記２、付記３、付記６または付記７のいずれかに記載の１台の通信機または異なる入出力端同士で直列接続した付記２、付記３、付記６および付記７に記載の複数の通信機とを備える通信システム。
【００９０】
（付記１８）
前記ネットワークはIEEE802.1agに規定されるEtherOAMに従うことを特徴とする付記１７に記載の通信システム。
【００９１】
（付記１９）
ネットワークに接続する通信機の第１の入出力端から電源オフ信号を受信すると予め前記第１の入出力端から検出して所定の時間保存している導通確認信号を第２の入出力端に送信し、前記第１の入出力端から電源復旧信号を受信すると前記導通確認信号の送信を停止するプログラム。
【００９２】
（付記２０）
ネットワークに接続する通信機の電源スイッチが操作により切断されると第１の入出力端と第２の入出力端に電源オフ信号を発信し、前記電源スイッチが導通すると前記第１の入出力端と前記第２の入出力端に電源復旧信号を発信するプログラム。
【００９３】
（付記２１）
ネットワークに接続する通信機の第１の入出力端から電源オフ信号を受信すると予め前記第１の入出力端から検出して所定の時間保存している導通確認信号を第２の入出力端に送信し、前記第１の入出力端から電源復旧信号を受信すると前記導通確認信号の送信を停止し、前記通信機の電源スイッチが操作により切断されると前記第１の入出力端と前記第２の入出力端に電源オフ信号を発信し、前記電源スイッチが導通すると前記第１の入出力端と前記第２の入出力端に電源復旧信号を発信するプログラム。
【００９４】
（付記２２）
前記第１の入出力端から前記電源オフ信号および前記電源復旧信号を受信しても、前記通信機の動作が変わらない設定を選択できることを特徴とする付記１９または付記２１のいずれかに記載のプログラム。
【００９５】
（付記２３）
前記所定の時間を任意に設定可能である付記１９、付記２１または付記２２のいずれかに記載のプログラム。
【００９６】
（付記２４）
前記通信機の電源スイッチが操作により切断されても、前記通信機は動作が変わらない設定を選択できることを特徴とする付記２０または付記２１のいずれかに記載のプログラム。
【００９７】
（付記２５）
前記入出力端１から前記電源オフ信号および前記電源復旧信号を受信したり、前記通信機の電源スイッチが操作により切断されても、前記通信機の動作が変わらない設定を選択できることを特徴とする付記２１に記載のプログラム。
【００９８】
（付記２６）
前記ネットワークはIEEE802.1agに規定されるEtherOAMに従うことを特徴とする付記１９乃至付記２５のいずれかに記載のプログラム。
【符号の説明】
【００９９】
１００  通信機
１０１  ＣＣＭ制御部
１０２  電源検出部
１０３  対向局オフ検出部
１０４  ＣＣＭ解析保存部
１０５  ＣＣＭ送信部
１０６  ＣＣＭ送信制御部
１０７  電源スイッチ検出部
１０８  電源状態送信部
１０９  切換部１
１１０  切換部２
１１１  切換部３
２００  EtherOAM監視システム
２０１  ＭＥＰ１
２０２  ＭＥＰ２
２１１  通信機１
２１２  通信機２
２１３  通信機３
３０１  Ａ型通信機
３０２  Ｂ型通信機
３１１  Ａ型通信機１
３１２  Ｂ型通信機２
３１３  Ａ型通信機３
４００  通信機
４０１  第１の入出力端
４０２  第２の入出力端
【図１】
2016178486.tif 000003
【図２】
2016178486.tif 000004
【図３】
2016178486.tif 000005
【図４】
2016178486.tif 000006
【図５】
2016178486.tif 000007
【図６】
2016178486.tif 000008
【図７】
2016178486.tif 000009
【図８】
2016178486.tif 000010
【図９】
2016178486.tif 000011
【図１０】
2016178486.tif 000012
【図１１】
2016178486.tif 000013
【図１２】
2016178486.tif 000014
【図１３】
2016178486.tif 000015
【図１４】
2016178486.tif 000016
【図１５】
2016178486.tif 000017